(57)【要約】【課題】  筐体を雰囲気温が異なる所に移動してもスピーカの出力音を下げない。【解決手段】  内部にスピーカ１２を備えた防水構造の可搬筐体１１は、スピーカ１２の対向面に小穴１５が複数開けられた筐体１１のスピーカ取付面に付せられる防水用シート１６と筐体１１との間に介在するスペーサ１８と、スピーカ１２を筐体１１に固定するための押え金具１３A、１３Bと防水用シート１６との間に介在する中間金具１９とを備える。スペーサ１８により防水用シート１６と筐体１１との間に空間Aが確保され、スピーカ１２が発する振動はこの空間Aおよび小穴１５を経由して筐体１１の外部に伝搬されるのでスピーカ１２の音が小さくなることはない。中間金具１９には空間Bと空間Cとを連通するスリットが切込まれる。このスリットにより筐体１１内におけるスピーカ１２の内部と外部で気圧差がなくなることによりスピーカの振動板の震えを防止できる。【選択図】      図１
2006238181.tif 000002
【特許請求の範囲】
【請求項１】
内部にスピーカを備えた防水構造の可搬筐体において、
前記筐体は小穴が複数開けられた面を有し、該面にスピーカが取付けられ、
前記筐体の前記スピーカ取付面には防水用シートが付せられ、
前記防水用シートと前記筐体との間にスペーサを介在させた、
ことを特徴とする可搬筐体。
【請求項２】
内部にスピーカを備えた防水構造の可搬筐体において、
前記筐体は小穴が複数開けられた面を有し、該面にスピーカが取付けられ、
前記筐体の前記スピーカ取付面には防水用シートが付せられ、
前記スピーカを前記筐体に固定するための押え金具と前記防水用シートとの間に中間金具を介在させた、
ことを特徴とする可搬筐体。
【請求項３】
内部にスピーカを備えた防水構造の可搬筐体において、
前記筐体は小穴が複数開けられた面を有し、該面にスピーカが取付けられ、
前記筐体の前記スピーカ取付面には防水用シートが付せられ、
前記防水用シートと前記筐体との間にスペーサを介在させ、かつ
前記スピーカを前記筐体に固定するための押え金具と前記防水用シートとの間に中間金具を介在させた、
ことを特徴とする可搬筐体。
【請求項４】
前記中間金具は、前記防水用シートと前記スピーカとで囲まれる第１空間を前記筐体の内壁で囲まれる第２空間に連通する少なくとも一つのスリットを設けた、
請求項２または３に記載の可搬筐体。
【請求項５】
防水構造の可搬筐体へのスピーカの組立方法において、
前記スピーカの対向面に小穴が複数開けられた筐体にスペーサを取付けるステップと、
前記筐体に前記スペーサを介して防水用シートを付けるステップと、
前記筐体に前記防水用シートを中間金具で張付けるステップと、
前記スピーカを前記中間金具に固定するステップと、
前記押え金具を用いて前記スピーカを前記筐体に固定するステップと、
を備えたことを特徴とする可搬筐体へのスピーカの組立方法。
【発明の詳細な説明】
【技術分野】
【０００１】
本発明は防水構造の可搬筐体に関し、特に内部にスピーカを備えた防水構造の可搬筐体および可搬筐体へのスピーカの組立方法に関する。
【背景技術】
【０００２】
特許文献１に記載（同文献の図１参照）の圧電発音体９０は、コードレス電話器および携帯電話器を浴室または洗面所等の飛水或いは多湿環境下において使用する際に、水滴または湿気等の侵入を防止し、且つ防水対策に伴う音圧の劣化を少なくすることを目的とし、圧電振動板６０が収納された収納ケース５１の開口５２全面を閉塞するように開口縁５５に防水性シート７２が張着され、かつ防水性シート７２は非通気性弾性部材（ゴムリング等）９１を介して送受話器本体８０における取付基材８１の搭載面に配設される構造となっている。この構造により、収納ケース５１内部は防水性シート７２と非通気性弾性部材９１によって完全に気密化が保持され、取付基材８１の搭載面に開口された音通孔８２、８２’から外部環境の水滴や湿気が収納ケース７２の内部へ侵入することが防止される。
【０００３】
特許文献１に記載の圧電発音体のように、携帯電話機や携帯ラジオ等の電子機器を収容する筐体には筐体内部にスピーカを内臓し小型で持ち運びができるものがある。このような防水構造の可搬筐体の表面には音の出る小穴が開いており、屋外での使用を考慮して、雨天の場合にその小穴から雨水が浸入しても筐体内部に雨水が浸入することを防止する防水用シートが貼られた構造になっている。
【０００４】
図４は従来技術による筐体のスピーカ取付け部の断面図である。図４に一部を示す筐体４１は内部にスピーカ４２を備えた防水構造の可搬筐体である。スピーカ４２は筐体４１の移動の際、持ち運びによる外力で動かない様、押え金具４３A、４３Bを介してネジ４４A、４４Bで筐体４１に固定されている。スピーカ４２に対向する筐体４１の内側表面には筐体４１を貫通する小穴４５が複数開けられている。この筐体４１の内側表面に防水用シート４６が密着して貼付けられている。
【０００５】
【特許文献１】特開平６−９８３９７号公報（明細書における段落［００２３］、［００２７］、図面における［図１］および要約書）
【発明の開示】
【発明が解決しようとする課題】
【０００６】
このような筐体４１を雰囲気温度が異なる所に持ち運びするとき、特に屋内から屋外へまたは屋外から屋内へ筐体４１を移動した時、筐体４１の内部の温度と外部の温度との間に著しい温度差が発生することがある。例えば、冬期のように屋内の気温が屋外の気温より相当高いときに、屋内から屋外へ筐体４１を移動すると、筐体４１の外部の気圧は大気圧で一定であるが、筐体４１の外部の温度が急激に下がり、筐体４１の内部温度はこれに遅れて下がり、これにともない内部の気圧も下がる。その結果、筐体４１へ外部から内部へ空気圧がかかり、小穴４５を通って空気が外部から内部に流入する。筐体内部の気圧は外部の気圧より低く、筐体内部が収縮し、この間は防水用シート４６をスピーカ４２の振動板（コーン）４７に押し付ける内向きの力が働き、特に平面型スピーカの場合は厚みが十分取れないので防水用シート４６がコーン４７にぶつかり、スピーカ４２のコーン４７が振動し難くなり、その結果音が小さくなるという問題が生じる。
【０００７】
一方、屋内の気温が屋外の気温より相当高いときに、屋外から屋内へ筐体４１を移動すると、筐体４１の外部の気圧は大気圧で一定であるが、筐体４１の外部の温度が急激に上がり、筐体４１の内部温度はこれに遅れて上がり、これにともない内部の気圧も上がる。その結果、筐体４１へ内部から外部へ空気圧がかかり、小穴４５を通って空気が内部から外部に流出する。筐体内部の気圧は外部の気圧より高く、筐体内部が膨張し、この間は防水用シート４６を筐体４１の内側表面に押し付ける外向きの力が働き、筐体４１の内側表面に防水用シート４６が略完全に密着してこの間の隙が略零となり、防水用シート４６が震えることができなくなるのでスピーカ４２の振動が防水用シート４６に伝わらず筐体４１を貫通する小穴４５のみを通って筐体４１の外部へ伝搬し、その結果音が小さくなるという問題が生じる。
【課題を解決するための手段】
【０００８】
それゆえ、本発明は、内部にスピーカを備えた防水構造の可搬筐体を雰囲気温度が異なる所に移動してもスピーカからの音を小さくすることなく、スピーカから出力される音波を良好に筐体外部に伝搬する可搬筐体および可搬筐体へのスピーカの組立方法を提供することを目的とする。
上記目的を達成する本発明による第１形態に係る可搬筐体は、内部にスピーカを備えた防水構造を有し、前記筐体は小穴が複数開けられた面を有し、該面にスピーカが取付けられ、前記筐体の前記スピーカ取付面には防水用シートが付せられ、前記防水用シートと前記筐体との間にスペーサを介在させた、ことを特徴とする。
【０００９】
上記目的を達成する本発明による第２形態に係る可搬筐体は、内部にスピーカを備えた防水構造を有し、前記筐体は小穴が複数開けられた面を有し、該面にスピーカが取付けられ、前記筐体の前記スピーカ取付面には防水用シートが付せられ、前記スピーカを前記筐体に固定するための押え金具と前記防水用シートとの間に中間金具を介在させた、ことを特徴とする。
前記スピーカの対向面に小穴が複数開けられた筐体のスピーカ取付面に付せられる防水用シートと該スピーカを該筐体に固定するための押え金具との間に介在する中間金具、
を備えたことを特徴とする。
【００１０】
上記目的を達成する本発明による第３形態に係る可搬筐体は、内部にスピーカを備えた防水構造を有し、前記筐体は小穴が複数開けられた面を有し、該面にスピーカが取付けられ、前記筐体の前記スピーカ取付面には防水用シートが付せられ、前記防水用シートと前記筐体との間にスペーサを介在させ、かつ前記スピーカを前記筐体に固定するための押え金具と前記防水用シートとの間に中間金具を介在させた、ことを特徴とする。
【００１１】
本発明による第１〜３形態に係る可搬筐体において、前記中間金具は、前記防水用シートと前記スピーカとで囲まれる第１空間を前記筐体の内壁で囲まれる第２空間に連通する少なくとも一つのスリットを設けたものである。
【００１２】
上記目的を達成する本発明による防水構造の可搬筐体へのスピーカの組立方法は、前記スピーカの対向面に小穴が複数開けられた筐体にスペーサを取付けるステップと、前記筐体に前記スペーサを介して防水用シートを付けるステップと、前記筐体に前記防水用シートを中間金具で張付けるステップと、前記スピーカを前記中間金具に固定するステップと、前記押え金具を用いて前記スピーカを前記筐体に固定するステップと、を含むことを特徴とする。
【発明の効果】
【００１３】
本発明によれば、内部にスピーカを備えた防水構造の可搬筐体を雰囲気温度が異なる所に移動しても、スペーサを設けたことにより、屋内の気温が屋外の気温より相当高いときに、屋外から屋内へ筐体を移動したときには、防水用シートが筐体に接触しなくなり、屋内から屋外へ筐体を移動したときには、防水用シートがスピーカの振動板（コーン）に接触しなくなり、その結果スピーカからの音を小さくすることなくスピーカから出力される音波を良好に筐体外部に伝搬することのできる可搬筐体および可搬筐体へのスピーカの組立方法を提供することができる。
【００１４】
また、本発明によれば、内部にスピーカを備えた防水構造の可搬筐体を雰囲気温度が異なる所に移動しても、中間金具を設けたことにより、防水用シートは撓むことないので、スピーカからの音を小さくすることなくスピーカから出力される音波を良好に筐体外部に伝搬することのできる可搬筐体および可搬筐体へのスピーカの組立方法を提供することができる。
【００１５】
また、本発明によれば、中間金具にスリットを設けて防水用シートとスピーカとで囲まれる第１空間を筐体の内壁で囲まれる第２空間に連通するので、第１空間の第１気圧（P1）と第２空間の第２気圧（P2）との間に気圧差がなくなり（P１＝P２）、連通していない場合はP1＞P2であるので、スピーカの振動板（コーン）がスピーカの内向き（音源側）に押されることによりスピーカからの音を小さくしスピーカから出力される音波を良好に筐体外部に伝搬することができないが、連通することによりP１＝P２となるので、スピーカの振動板（コーン）がスピーカの内向きに押されることなくスピーカからの音を小さくすることなくスピーカから出力される音波を良好に筐体外部に伝搬することのできる可搬筐体および可搬筐体へのスピーカの組立方法を提供することができる。
【発明を実施するための最良の形態】
【００１６】
以下、添付図面を参照しつつ本発明の実施形態を詳細に説明する。
図１は本発明による筐体のスピーカ取付け部の断面図であり、図２は図１に示すスピーカ取付け部の筐体内部の詳細を示す斜視図である。図１および図２に一部を示す筐体１１は内部にスピーカ１２を備えた防水構造の可搬筐体である。スピーカ１２は振動板が円錐形状のコーン型スピーカであり、不図示のマグネットとコイルとにより、円錐形状の振動板（コーン）１７をコイルに流れる電流の変化に応じて円錐の軸心方向に移動させて音を出すものである。
【００１７】
スピーカ１２は筐体１１の移動の際、持ち運びによる外力で動かない様、中間金具１９A、１９Bと押え金具１３A、１３Bとを介してネジ１４A、１４Bで筐体１１に固定されている。筐体１１のスピーカ１２に対向する内側表面には筐体１１を貫通する小穴１５が複数開けられている。この筐体１１の内側表面に防水用シート１６がスペーサ１８を介して貼付けられている。
【００１８】
筐体１１には、スピーカ１２のコーン１７の振動で発生した音波を筐体１１外部に放出する通気口としての小穴１５がコーン１７の中心から放射状に複数設けられている。スペーサ１８は、図２に示すようにリング形状を成し複数の小穴１５の中心部に取付けられる。防水用シート１６は、正方形で厚さ約0.1mm の樹脂のシートで、筐体１１内壁に両面テープで貼付け固定される。両面テープの範囲は、防水用シート１６の周囲のみで、スピーカ１２から音の出る範囲、すなわち防水用シート１６の中央部はスペーサ１８で筐体１１から浮いており両面テープから離れている。
【００１９】
スペーサ１８により防水用シート１６と筐体１１との間に空間Aが確保され、スピーカ１２が発する振動はこの空間Aおよび小穴１５を経由して筐体１１の外部に伝搬されるので筐体１１を雰囲気の異なる所へ移動しても、スピーカ１２の音が小さくなることはない。より詳しくは、スペーサ１８を設けたことにより、冬季のように屋内の気温が屋外の気温より相当高いときに、屋外から屋内へ筐体１１を移動したときには、防水用シート１６が筐体１１に接触しなくなり、屋内から屋外へ筐体を移動したときには、防水用シート１６がスピーカ１２のコーン１７に接触しなくなり、その結果スピーカ１２からの音を小さくすることなくスピーカ１２から出力される音波を良好に筐体１１の外部に伝搬することができるようになる。
【００２０】
中間金具１９は、スピーカ１２から音の出る範囲で丸く穴を開け、かつスピーカ１２の外形より大きく４つの放射方向に４つのスリット２０が設けられている。防水用シート１６の貼付け作業で発生する防水用シート１６の弛みは、この中間金具１９の丸穴で押え、防水用シート１６に張りを与える。このように、中間金具１９は防水用シート１６に張りを与える。図２に示すスリット２０は９０度毎に合計４箇所設けられているが、このスリットは少なくとも一箇所に設ければよい。スピーカ１２は、中間金具１９を介して押え金具１４Ａ、１４Ｂによりネジ１４Ａとネジ１４Ｂで筐体１１に固定される。
【００２１】
図１および図２に示すような構造を有する可搬筐体１１は、スペーサ１８により筐体１１と防水用シート１６との間に隙が設けられ、かつ中間金具１９により防水用シート１６に張りが与えられるので、スピーカ１２のコーン１７の振動を防水用シート１６に伝えることができる。すなわち、筐体１１内部の気圧が外部より高くなっても、筐体１１に防水用シート１６が貼り付くことはなく、それゆえスピーカ１２のコーン１７の振動を筐体１１の外部に伝え難くなることを防止できる。
【００２２】
また、中間金具１９には図１に示すように、防水用シート１６とスピーカ１２とで囲まれる第１空間Bを筐体１１の内壁で囲まれる第２空間Cに連通する少なくとも一つのスリット２０が切込まれており、スリット２０が切込まれずに、第１空間Aと第２空間Bとを連通していない場合はP1＞P2であるので、スピーカ１２のコーン１７がスピーカ１２の内向き（音源側）に押されることによりスピーカ１２からの音を小さくしスピーカ１２から出力される音波を良好に筐体１１外部に伝搬することができないが、スリット２０を切込み、第１空間Aと第２空間Bとを連通することによりP１＝P２となるので、スピーカ１２のコーン１７がスピーカ１２の内向き（音源側）に押されることなくコーン１７が震えなくなることを防止でき、スピーカ１２からの音を小さくすることなくスピーカ１２から出力される音波を良好に筐体外部に伝搬することができる。
【００２３】
図３は図１に示すスピーカ取付け部の組立手順を示す図であり、筐体に（A）はスペーサを取付けるステップを示す図であり、（B）は防水用シートを付けるステップを示す図であり、（C）は中間金具で防水用シートを張付けるステップを示す図であり、（D）はスピーカを中間金具に取付けるステップを示す図であり、（E）は押え金具を取付けるステップを示す図である。図１および図２に示した本発明の実施形態に係る防水構造の可搬筐体へのスピーカの組立方法は、筐体１１のスピーカ取付け面に両面テープを貼りつけた後、図３の（A）、（B）、（C）、（D）および（E）に示す順に組立てを行う。
【００２４】
第１ステップでは、図３の（A）に示すように、スピーカ１２の対向面に小穴１５が複数開けられた筐体１１にスペーサ１８を取付ける。
第２ステップでは、図３の（B）に示すように、筐体１１にスペーサ１８を介して防水用シート１６を貼り付ける。
第３ステップでは、図３の（C）に示すように、筐体１１に防水用シート１６を中間金具１９で張付ける。
第４ステップでは、図３の（D）に示すように、スピーカ１２を中間金具１９に固定する。
第５ステップでは、図３の（E）に示すように、押え金具１３A、１３Bを用いてスピーカ１２をビス１４A、１４Bで筐体１１に固定する。
【図面の簡単な説明】
【００２５】
【図１】本発明による筐体のスピーカ取付け部の断面図である。
【図２】図１に示すスピーカ取付け部の筐体内部の詳細を示す斜視図である。
【図３】図１に示すスピーカ取付け部の組立手順を示す図であり、筐体に（A）はスペーサを取付けるステップを示す図であり、（B）は防水用シートを付けるステップを示す図であり、（C）は中間金具で防水用シートを張付けるステップを示す図であり、（D）はスピーカを中間金具に取付けるステップを示す図であり、（E）は押え金具を取付けるステップを示す図である。
【図４】従来技術による筐体のスピーカ取付け部の断面図である。
【符号の説明】
【００２６】
１１    筐体
１２    スピーカ
１３A、１３B    押え金具
１４A、１４B    ネジ
１５    小穴
１６    防水用シート
１７    振動板（コーン）
１８    スペーサ
１９    中間金具
２０    スリット
【図１】
2006238181.tif 000003
【図２】
2006238181.tif 000004
【図３】
2006238181.tif 000005
【図４】
2006238181.tif 000006